(57)【要約】  【課題】ポップアップ表示による新規文書通知時に、複数ユーザが一斉に新規文書の画像表示を行った場合でも、画像表示が遅くなることがないネットワーク複合機を提供する。  【解決手段】端末装置での回覧処理または掲示板処理によって、HTTP  POST  Method＆回覧・掲示板指示あったと判定した（ステップ104）場合、指定されたユーザまたは登録されているユーザの各パソコンに件名、コメントの内容を画像データに変換した後、転送する（ステップ106）。次に、回覧または掲示板指示された画像を読み出し、指定されたユーザまたは登録されているユーザの各パソコンに転送した（ステップ107）後、ＵＤＰ／ＩＰパケットで新規文書がある旨を全ユーザに通知する（ステップ108）。これにより、ユーザがポップアップ画面で新規文書を表示する操作を行った場合、直ちに転送されている画像等を端末装置に表示することができる。  【選択図】図６
2006135616.tif 000002
【特許請求の範囲】
【請求項１】
端末装置と通信ネットワークを介して接続され、掲示板・回覧処理が実行された際に、対象ユーザの端末装置に新規文書がある旨を通知するネットワーク複合機であって、
上記掲示板・回覧処理を制御する制御手段を備え、端末装置から掲示板・回覧処理が実行された際、上記制御手段が対象の画像データを対象ユーザの端末装置に転送した後、新規文書がある旨を対象ユーザの端末装置に通知することを特徴とするネットワーク複合機。
【請求項２】
請求項１に記載されたネットワーク複合機において、上記制御手段が新規文書がある旨を通知する前に、新規文書に関する件名、コメントを対象ユーザに転送することを特徴とするネットワーク複合機。
【請求項３】
請求項１に記載されたネットワーク複合機において、掲示板処理の場合、上記制御手段が、新規文書がある旨を登録されているユーザ全員の端末装置にポップアップ画面により通知することを特徴とするネットワーク複合機。
【請求項４】
請求項１に記載されたネットワーク複合機において、回覧処理の場合、上記制御手段が、新規文書がある旨を指定されたユーザの端末装置にポップアップ画面により通知することを特徴とするネットワーク複合機。
【発明の詳細な説明】
【技術分野】
【０００１】
本発明はパーソナルコンピュータ（以下、パソコンという）などの端末装置とＬＡＮなどの通信ネットワークを介して接続され、ＨＴＴＰプロトコルを用いて機器内部に格納された画像の掲示板・回覧処理等を実行するネットワーク複合機に関する。
【背景技術】
【０００２】
近時、オフィスなどにおいて、ファクシミリスステムが普及してきており、データ通信上有益な役割を果たしている。このようなシステムは、例えば、ＬＡＮなどの通信ネットワークにより、ネットワーク複合機や端末装置いわゆるクライアントパソコンなどを接続して構成されており、ネットワーク複合機は、ファクシミリ受信したデータをクライアントパソコンに転送したり、クライアントパソコンから転送先を指定したデータを受信すると、受信したデータを指定された転送先に送信するようになっている。
【０００３】
このようなネットワーク複合機において、複合機本体からの操作によりスキャンした場合に、スキャン文書を機器内部に保存するとともに、指定された端末装置にスキャン文書の保存を通知したり、あるいは、ファクス／メールを受信した場合に、ネットワーク複合機がネットワークボードの所定の格納場所に画像データを一時的に記憶し、ユーザがネットワークボードの格納場所にアクセスして画像データを取り込むようにした機能もあり、このような場合には、ネットワーク複合機はＵＤＰ／ＩＰパケットで端末装置に各事象が発生した旨を通知するようにしている。
【０００４】
なお、ＵＤＰはＩＰの上位プロトコルで、トランスポート層に属し、ＴＣＰが持っているコネクション管理、応答確認、シーケンス、ウィンドウ制御、フロー制御といった機能を持っていないので、データが確実に相手に届くという保証がないが、負荷が少なく、動作が速い。
【０００５】
また、最近のネットワーク複合機は、受信したファクス文書やスキャンした紙文書などを回覧者指定で通知したり、このような文書をウェブブラウザからの操作で掲示板に掲載し、だれでも閲覧することができるようになっており、このような回覧や掲示板への文書掲示が発生した場合にも、ネットワーク複合機はＵＤＰ／ＩＰパケットで端末装置に通知するようにしている。
【０００６】
一方、各端末装置は、端末装置にインストールされて常駐している監視プログラムソフトによってＵＤＰ／ＩＰパケットを監視することにより、回覧や掲示板の通知を検出し、通知された事象内容が自分宛のものであった場合には、端末装置のモニタ画面に図８に示すようなポップアップ画面を表示することにより、ユーザに知らせるようになっている（例えば、特許文献１参照。）。
【特許文献１】特開２００３−１０８４６６号公報
【発明の開示】
【発明が解決しようとする課題】
【０００７】
上記のように、従来のネットワーク複合機は、ネットワークボードに大容量の画像データを格納可能なコンパクトフラッシュ（登録商標）メモリやハードディスクを実装することで、ネットワーク複合機本体からスキャンした文書やファクス／メール文書をこの大容量のストレージに格納し、一旦蓄積した画像の掲示板・回覧処理を可能にしている。
【０００８】
そして、ある端末装置から掲示板処理あるいは回覧処理が実行されると、掲示板の場合は登録されているユーザ全員に、回覧の場合は指定されたユーザに、ネットワークボードがＵＤＰ／ＩＰパケットで新規文書があることを通知する。一方、上記のように、ユーザの端末装置にはネットワーク複合機からの通知を監視する常駐ソフトがインストールされているので、ネットワーク複合機からのＵＤＰ／ＩＰ通知を受け取ると、新規文書がある旨のポップアップ画面が表示されるようになっている。
【０００９】
このポップアップ画面には、図８に示すように、「画像開く」、「一覧表示」、「閉じる」のボタンが表示されており、「画像開く」のボタンをクリックすることにより画像を端末装置に転送するプロトコルが実行され、端末装置のモニタ画面に新規文書を表示することができる。
ところで、一般に、新規文書の通知を受け取ると、大多数のユーザは新規文書を表示する操作を行うので、通知された端末装置からネットワーク複合機に一斉にネットワークのコネクションが張られて画像の取り込みが行われることになる。
【００１０】
このように、ポップアップ表示によって、新規文書を表示するためのプロトコルが数多く実行されると、大容量の画像データを各端末装置に転送することになるが、１台あたりの端末装置が画像データを取得する速度は同時にアクセスしている端末装置の数が多いほど遅くなることになり、端末装置に画像が表示されるのに時間がかかるという問題があった。
【００１１】
本発明は、上記の問題に鑑みてなされたもので、ポップアップ表示による新規文書通知時に、複数ユーザが一斉に新規文書の画像表示を行った場合でも、画像表示が遅くなることがなく、かつ、ネットワークに同時に流れるパケットを抑えることが可能なネットワーク複合機を提供することを目的とする。
【課題を解決するための手段】
【００１２】
上述の目的を達成するため、請求項１に係る発明のネットワーク複合機は、端末装置と通信ネットワークを介して接続され、掲示板・回覧処理が実行された際に、対象ユーザの端末装置に新規文書がある旨を通知するネットワーク複合機であって、上記掲示板・回覧処理を制御する制御手段を備え、端末装置から掲示板・回覧処理が実行された際、上記制御手段が対象の画像データを対象ユーザの端末装置に転送した後、新規文書がある旨を対象ユーザの端末装置に通知することを特徴とする。
【００１３】
また、請求項２に係る発明のネットワーク複合機は、請求項１に記載されたネットワーク複合機において、上記制御手段が新規文書がある旨を通知する前に、新規文書に関する件名、コメントを対象ユーザに転送することを特徴とする。
【００１４】
さらに、請求項３に係る発明のネットワーク複合機は、請求項１に記載されたネットワーク複合機において、掲示板処理の場合、上記制御手段が、新規文書がある旨を登録されているユーザ全員の端末装置にポップアップ画面により通知することを特徴とし、請求項４に係る発明のネットワーク複合機は、請求項１に記載されたネットワーク複合機において、回覧処理の場合、上記制御手段が、新規文書がある旨を指定されたユーザの端末装置にポップアップ画面により通知することを特徴とする。
【発明の効果】
【００１５】
請求項１〜請求項４に係る発明のネットワーク複合機によれば、ある端末装置から掲示板・回覧処理が実行された際、先に画像データと、必要な場合には、新規文書に関する件名及びコメントが対象ユーザの端末装置に転送されるので、ユーザがポップアップ画面で新規文書を表示する操作を行った場合に、既に転送されている画像を端末装置のモニタ画面に表示することができるので、複数ユーザが一斉に画像表示操作を行っても画像表示が遅くなることがなく、また、ネットワークにパケットが流れないので、ネットワークに同時に流れるパケットを抑えることが可能となる。
【実施例】
【００１６】
以下、本発明のネットワーク複合機の実施例について、図面を用いて説明する。図１はネットワーク複合機を備えたシステムのネットワーク構成例を示す図であり、図２はネットワーク複合機のハードウェア構成を示すブロック図、図３はネットワークボードの機能を示す機能ブロック図である。
【００１７】
図１に示すネットワーク構成図において、１はネットワーク複合機、２、３、４・・・はパソコン、５は公衆交換電話網（ＰＳＴＮ）、６はＬＡＮ（Local Area Network）、７はインターネット網である。ネットワーク複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、ネットワーク複合機１はこのインターネット網７を介してメールの送受信を行うことが可能である。
【００１８】
図２はネットワーク複合機１の制御系の構成を示す概略ブロック図であり、図に示すように、ネットワーク複合機１はＣＰＵ１１、ＲＯＭ（Read Only Memory）１２、ＲＡＭ（Random Access Memory）１３、表示・操作部１４、読取部１５、画像メモリ１６、記録部１７、コーデック１８、モデム１９、ネットワーク制御ユニットＮＣＵ２０、ネットワークボード２１及びＬＡＮインターフェース（Ｉ／Ｆ）２２から構成され、各部がバス２３を介して接続されている。
【００１９】
ＣＰＵ１１はバス２３を介してネットワーク複合機１のハードウェア各部を制御するとともに、ＲＯＭ１２に記憶されたプログラムに基づいて各種のプログラムを実行し、ＲＯＭ１２はネットワーク複合機の動作に必要な種々のプログラムや操作メッセージ等を予め記憶している。また、ＲＡＭ１３はＳＲＡＭ等で構成され、プログラムの実行時に発生する一時的なデータを記憶する。
【００２０】
表示・操作部１４は、ネットワーク複合機の動作状態を表示したり、種々の機能の操作画面の表示を行う表示部と、ネットワーク複合機を操作するための多数の操作キーとから構成されている。読取部１５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力する。
【００２１】
また、画像メモリ１６は、ＤＲＡＭ等を用いて構成され、送信すべきイメージデータまたは受信したイメージデータあるいは読取部１５で読み取ったイメージデータを記憶し、記録部１７は電子写真方式等のプリンタ装置を備え、受信したデータ、コピー原稿データあるいは外部のパソコンから送信されたプリントデータをプリントアウトするものである。
【００２２】
コーデック１８は所定のプロトコルに対応して符号化・復号するものであり、読み取った原稿の画像データを送信するためにＭＨ、ＭＲまたはＭＭＲ方式により符号化し、外部から受信した画像データを復号するとともに、電子メールに添付可能なファイルとして一般的に利用される画像フォーマットであるＴＩＦＦ方式等にも対応して符号化、復号する。
【００２３】
モデム１９はバス２３に接続されており、ファクシミリ通信が可能なファクスモデムとしての機能を有し、このモデム１９は同様にバス２３に接続されたＮＣＵ２０と接続されている。ＮＣＵ２０はアナログ回線の閉結及び開放の動作を行うハードウェアであり、必要に応じてモデム１９をＰＳＴＮ５に接続する。
【００２４】
また、ＬＡＮインターフェース２２はＬＡＮ６に接続され、外部のパソコンからのデータあるいはインターネット網７からの信号をＬＡＮ６を介して受信する一方、ＬＡＮ６に対して信号やデータを送信するものであり、信号変換やプロトコル変換などのインターフェース処理を実行する。
【００２５】
ネットワーク複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ５を通して通信相手先に送信される。また、ファクシミリ受信時には、受信した画像データがモデム１９で復調され、画像メモリ１６に蓄積された後、コーデック１８で復号されて記録部１７により印刷される。  
【００２６】
一方、ネットワークボード２１は図３の機能ブロック図に示すように、ＴＣＰ／ＩＰプロトコル制御部３１、ＨＴＴＰＤ制御部３２、ホームページ管理部３３、文書管理部３４からなり、これらの各部は、ＣＰＵ、ＲＯＭ、ＲＡＭ等のメモリ、磁気ディスク（ハードディスク）記憶装置等により構成されている。
【００２７】
ＴＣＰ／ＩＰプロトコル制御部３１はＴＣＰ（Transmission  Control  Protocol）／ＩＰ（Internet  Protocol）を制御し、ＨＴＴＰＤ制御部３２は、ＴＣＰ／ＩＰプロトコル制御部３１によるデータストリーム転送機能を用いてＨＴＴＰＤ（Hyper  Text  Transfer  Protocol  Deamon）機能に対する処理を実行し、パソコン２、３、４等のＷＷＷ（World  Wide  Web）ブラウザからの要求を処理する。
なお、ＨＴＴＰＤはＨＴＴＰサーバの機能を提供するデーモンで、ＵＮＩＸ（登録商標）オペレーティング・システム上でウェブサーバを運用する際に使われるものである。
【００２８】
また、ホームページ管理部３３は、ＨＴＴＰＤ制御部３２からのホームページ要求に対応してホームページファイルをＨＴＴＰＤ制御部３２に出力し、文書管理部３４はネットワーク複合機１本体からの操作によるスキャン文書、ファクス／メール受信の配信文書等の文書を記憶・保存するととともに、ＨＴＴＰＤ制御部３２からの要求に応じて保存文書の一覧情報をＨＴＭＬ（Hyper Text Markup Language）形式のファイルに変換してＨＴＴＰＤ制御部３２に出力し、かつ、ＨＴＴＰＤ制御部３２から入力された情報を解析して、保存文書の転送、削除等の処理を行う。
【００２９】
一方、このネットワーク複合機１にＬＡＮ６を介して接続されるパソコン２、３、４等は、図４に示すように、ＣＰＵ４１、ＲＯＭ４２、ＲＡＭ４３、表示部４４、入力部４５、ハードディスクドライブ（ＨＤＤ）４６、ＬＡＮインターフェース４７から構成され、バス４８を介して接続されている。
ＣＰＵ４１は、バス４８を介してパソコン２のハードウェア各部を制御するとともに、ＲＯＭ４２に記憶されたソフトウェアプログラムに基づいて各種のプログラムを実行し、ＲＡＭ４３はＳＲＡＭ等で構成され、プログラムの実行時に発生する一時的なデータを記憶する。
【００３０】
表示部４４は、液晶表示装置（ＬＣＤ）又はＣＲＴディスプレイ等の表示装置であり、入力部４５はパソコン２を操作するためのキーボードである。ＨＤＤ４６は記憶媒体を内蔵する記憶装置で、各種の機能のプログラムを格納するとともに、様々なデータを記憶するものであり、ネットワーク複合機１からのＵＤＰ／ＩＰパケットを監視し、文書の保存や受信の通知によりポップアップ画面を表示してユーザに知らせる監視プログラムソフトがインストールされ、パソコンの電源オン時にはこのプログラムが常駐している。
ＬＡＮインターフェース４８はＬＡＮ６に接続され、上記のＬＡＮインターフェース２２と同様な働きをする。
【００３１】
次に、ユーザがパソコン２、３、４等からネットワーク複合機１の内部に格納された画像の掲示板への掲示や回覧処理等を実行する場合の作用について説明する。
ユーザがＷＷＷブラウザを起動し、例えば、パソコン２の表示部４４に表示されたＷＷＷブラウザ画面において、ネットワーク複合機１のＩＰアドレスを指定してアクセスを行うと、ネットワークボード２１のＨＴＴＰＤ制御部３２がこれを検知し、ホームページ管理部３３からＨＴＭＬで記述されたホームページファイルを読み出し、ＴＣＰ／ＩＰプロトコル制御部３１、ＬＡＮインターフェース２２、ＬＡＮ６を介してパソコン２に転送する。
【００３２】
そして、ユーザがこのホームページから文書一覧表示を選択して指示すると、この一覧表示指示情報がＬＡＮ６を介してネットワーク複合機１に転送され、ネットワークボード２１のＨＴＴＰＤ制御部３２がこれを検知する。これにより、ＨＴＴＰＤ制御部３２が文書管理部３４に文書一覧転送を指示し、文書管理部３４が保存文書の一覧情報をＨＴＭＬ形式のファイルに変換してパソコン２に転送する。
これにより、パソコン２の表示部４４に図５に示す文書一覧リスト画面が表示される。
【００３３】
図５に示すように、この文書一覧画面の上部に、スキャン画像、送信文書、受信文書、共有受信文書、掲示板、回覧文書、処理依頼文書の切替タブと、「転送」、「送信」、「プリント」、「ダウンロード」、「削除」、「掲示板」、「回覧」等の機能選択ボタンが表示されている。また、文書一覧画面の下部には、受信文書の場合、相手先名、文書分類、ページ数、受信日時等が表示される。
【００３４】
そして、ある文書を掲示板処理または回覧処理したい場合には、上記の一覧リスト表示画面において、掲示板処理したい文書をチェックして「掲示板」ボタンまたは「回覧」ボタンをクリックすることにより、掲示板指示または回覧指示がHTTP POST Methodによりネットワーク複合機１に送信される。この際に、掲示板の掲示位置の指示や回覧対象ユーザの指示等が行われるが、詳細な説明は省略する。
【００３５】
なお、HTTP POST MethodはＨＴＭＬのフォームに記述された内容をウェブサーバに送信する際のメソッドの一つで、＜FORM＞タグのMethod＝“”属性に指定する。ＰＯＳＴを指定した場合、フォームに記述された内容はＵＲＬに直接現れないので、ＵＲＬ長の制限に収まらないような長いデータも送信でき、送信された内容がユーザの目に触れたり、履歴として残ったりすることがない。
【００３６】
ネットワークボード２１のＨＴＴＰＤ制御部３２は、常時、図６のフローチャートに示すプログラムを実行し、ＴＣＰ／ＩＰプロトコル制御部３１を介してパソコン２、３、４等からパケットを受信したか否かを判定している（ステップ１０１）。そして、例えば、パソコン２からパケットを受信したと判定すると、ＨＴＴＰＤ制御部３２は受信したパケットがＨＴＴＰのパケットか否かを判定する（ステップ１０２）。受信したパケットがＨＴＴＰのパケットでない場合、ＨＴＴＰ以外のネットワーク処理を実行し（ステップ１０３）、ＨＴＴＰのパケットであると判定した場合は、ＨＴＴＰＤ制御部３２はHTTP POST Method＆回覧・掲示板指示を受信したか否かを判定する（ステップ１０４）。
【００３７】
ステップ１０４でHTTP  POST  Method＆回覧・掲示板指示でないと判定した場合、ＨＴＴＰＤ制御部３２はHTTPのその他の処理を実行し（ステップ１０５）、HTTP  POST  Method＆回覧・掲示板指示であると判定した場合は、指定されたユーザまたは登録されているユーザの各パソコンに件名、コメントの内容を画像データに変換した後、転送する（ステップ１０６）。
【００３８】
次に、ＨＴＴＰＤ制御部３２は、回覧または掲示板指示された画像を文書管理部３４から読み出し、指定されたユーザまたは登録されているユーザの各パソコンに転送した（ステップ１０７）後、ＵＤＰ／ＩＰパケットで新規文書がある旨を全ユーザに通知する（ステップ１０８）。
【００３９】
一方、パソコン２のＣＰＵ４１はネットワーク複合機１からの要求を監視するソフトを常駐させており、図７のフローチャートに示すように、常時、ネットワーク複合機１からパケットを受信したか否かを判定している（ステップ２０１）。ネットワーク複合機１からパケットを受信したと判定すると、ＣＰＵ４１は受信したパケットがＵＤＰ／ＩＰパケットによる新規文書通知か否かを判定し（ステップ２０２）、ＵＤＰ／ＩＰパケットによる新規文書通知でない場合、その他の処理を実行する（ステップ２０３）。
【００４０】
また、受信したパケットがＵＤＰ／ＩＰパケットによる新規文書通知であったと判定した場合、ＣＰＵ４１はその新規文書通知が自分宛であるか否かを判定し（ステップ２０４）、自分宛の新規文書通知であると判定した場合は、表示部４４に図８に示すようなポップアップ画面を表示することにより、新規文書がある旨を表示する（ステップ２０５）。
【００４１】
ポップアップ画面を表示した後、ＣＰＵ４１はポップアップ画面の「画像開く」がクリックされたか否かを判別することにより、新規文書表示操作が実行されたか否かを判定する（ステップ２０６）。そして、新規文書表示操作が実行されていないと判定した場合、ＣＰＵ４１はポップアップ画面の「一覧表示」がクリックされたか否かを判別することにより、一覧文書表示操作が実行されたか否かを判定し（ステップ２０７）、一覧文書表示操作が実行されたと判定した場合、ネットワーク複合機１に文書一覧リストの転送を要求する（ステップ２０８）。
【００４２】
また、ステップ２０７で一覧文書表示操作が実行されていないと判定した場合、ＣＰＵ４１はポップアップ画面の「閉じる」がクリックされたか否かを判別することにより、処理を終了するか否かを判定し（ステップ２０９）、処理を終了しない場合は、ステップ２０６に戻り、ポップアップ画面の「閉じる」がクリックされたと判定した場合は、ポップアップ画面を消去した後、ステップ２０１に戻り次のパケットを受信したか否かを判定する。
【００４３】
一方、ステップ２０６で新規文書表示操作が実行されたと判定した場合、ＣＰＵ４１は、既にネットワーク複合機１のネットワークボード２１から転送されてＨＤＤ４６に保存されている、件名、コメントの内容及び回覧または掲示板指示された画像を表示部４４に表示する（ステップ２１０）。
【００４４】
以上のように、本発明のネットワーク複合機によれば、掲示板・回覧処理が実行された際、予めネットワーク複合機から対象の端末装置に、件名、コメントの内容及び回覧または掲示板指示された画像が転送されているので、ユーザがポップアップ画面で新規文書を表示する操作を行った場合、直ちに転送されている画像等をパソコンの表示部に表示することができるので、複数ユーザが一斉に画像表示操作を行っても画像表示が遅くなることはない。
なお、ネットワーク複合機からの画像転送時には一斉に画像を転送するが、ＬＡＮ上に受信端末装置を指定した画像データを一度送信するだけであるので、通信ネットワークに流れるパケットが増加することはない。
【００４５】
上記の実施例では、新規文書通知前に件名、コメント内容を転送したが、このような件名、コメント内容が不要の場合には省略することができ、また、上記の実施例では、パケットとしてＵＤＰ／ＩＰパケットやHTTP POST Methodを使用したが、その他の同等の機能を備えたパケットを採用することも可能である。
【図面の簡単な説明】
【００４６】
【図１】ネットワーク複合機を備えたシステムのネットワーク構成例を示す図である。
【図２】本発明のネットワーク複合機のハードウェア構成を示すブロック図である。
【図３】本発明で使用するネットワークボードの機能ブロック図である。
【図４】端末装置のハードウェア構成を示すブロック図である。
【図５】本発明で表示される文書一覧リスト画面の一例を示す図である。
【図６】掲示板処理、または回覧処理を行う場合のネットワーク複合機の作用を示すフローチャートである。
【図７】新規文書通知が行われた場合の端末装置の作用を示すフローチャートである。
【図８】文書受信通知のポップアップ画面の一例を示す図である。
【符号の説明】
【００４７】
１  ネットワーク複合機
２、３、４  パソコン
５  ＰＳＴＮ
６  ＬＡＮ
７  インターネット網
１１、４１  ＣＰＵ
１２、４２  ＲＯＭ
１３、４３  ＲＡＭ
１４  表示・操作部
１５  読取部
１６  画像メモリ
１７  記録部
１８  コーデック
１９  モデム
２０  ＮＣＵ
２１  ネットワークボード
２２、４７  ＬＡＮ  Ｉ／Ｆ
２３、４８  バス
３１  ＴＣＰ／ＩＰプロトコル制御部
３２  ＨＴＴＰＤ制御部
３３  ホームページ管理部
３４  文書管理部
４４  表示部
４５  入力部
４６  ＨＤＤ
【図１】
2006135616.tif 000003
【図２】
2006135616.tif 000004
【図３】
2006135616.tif 000005
【図４】
2006135616.tif 000006
【図５】
2006135616.tif 000007
【図６】
2006135616.tif 000008
【図７】
2006135616.tif 000009
【図８】
2006135616.tif 000010